(57)【特許請求の範囲】
【請求項１】
１００μｍ以下の径を有する貫通孔を３８個／ｃｍ２以上、１００個／ｃｍ２未満有し、１００μｍを越える径を有する貫通孔が１個／ｃｍ２以下で、フィルムの厚さが１０μｍ以上、１００μｍ以下からなる記録物保存用ポリエステルフィルム。
【請求項２】
１００μｍ以下の径を有する貫通孔を３８個／ｃｍ２以上、１００個／ｃｍ２未満有し、１００μｍを越える径を有する貫通孔が１個／ｃｍ２以下で、フィルムの厚さが１０μｍ以上、１００μｍ以下のポリエステルフィルム（Ａ）と厚さが１００μｍ以上、３ｍｍ以下のポリエステルフィルム（Ｂ）の間に、記録物をはさんだ記録物保存体。
【請求項３】
ポリエステルフィルムＡのヘーズが１％以上、３０％以下であることを特徴とする請求項２に記載の記録物保存体。
【請求項４】
記録物が古文書であることを特徴とする請求項２または３に記載の記録物保存体。
【請求項５】
請求項１に記載の記録物保存用ポリエステルフィルムを用いる記録物の保存方法。
【発明の詳細な説明】
【技術分野】
【０００１】
本発明は記録物保存のためのフィルムおよびそれを用いた記録物保存方法に関するものであり、詳しくは貫通孔を有するプラスチックフィルムからなる保護フィルムを用いることで、記録物を水分や物理的衝撃などから保護すると共に、記録物への空気の透過性を維持することでカビの発生を抑えることができるフィルムおよびそれを用いた記録物保存方法に関する。
【背景技術】
【０００２】
紙や木材を媒体とする歴史的に古い記録物は、通常のまま保管すると紫外線や水分などによる劣化や小動物、虫、細菌などの生物による破壊が懸念されるため、それを保護するための保護材料が必要となる。古文書の保護を２枚のガラスまたはガラスとプラスチックフィルムとの間に挟んで保護する方法は、公知の方法であるが、物理的な保護に関連する問題が生じる。ガラスとフィルムとではガラスの方が硬いことは明らかで、このため極度に脆弱化したものを封印して保護するのには良いが、ガラスは重く、またそれ自体も割れてしまい、資料を傷める可能性があり、扱いや保管に特別な注意を必要とする。
【０００３】
例えば、プラスチック材料を用いて記録物を保存する方法としてプラスチックフィルム持つポケットにその記録物を収納する方法としては、写真アルバムの分野などでの発明が見られ、例えば特許文献１、特許文献２、特許文献３などがあげられる。しかし、これらの方法をそのまま適用するとポケットの開口部があるため、劣化や生物による破壊に対して防止効果に乏しい。
また写真などを透明プラスチックフィルムに表裏からはさみ、熱融着や圧着などの方法で密着させることで保護するフィルムや方法挙げられる（例えば、特許文献４）。
【０００４】
しかし、資料そのものが劣化してゆくときに発生するガス状の劣化物を閉じ込めることで生じる影響が懸念される。また、封印された内部の環境（温度と相対湿度）の問題である。古文書などに極微量の細菌やカビが存在していることが多く、それをそのままガラスやプラスチックフィルムで記録物を封じた場合、同時に封じられた水分、湿気や特性のガスにより細菌やカビなどが繁殖してしまい、記録物が劣化することから、このままでは適用できないことが問題であった。
【先行技術文献】
【特許文献】
【０００５】
【特許文献１】特開平５−１３１７９０号公報
【特許文献２】特開２００３−３４０９７号公報
【特許文献３】特開２００９−２９１００号公報
【特許文献４】特開２００４−１７５００１号公報
【発明の概要】
【発明が解決しようとする課題】
【０００６】
本発明は、かかる従来技術の課題を背景になされたものであり、記録物好ましくは歴史的に古い記録物（古文書など）を保護するためのフィルムおよびそれを用いた記録物保存体、記録物保存方法であり、その目的は、紫外線や水分などによる劣化や小動物、虫、細菌などの生物による破壊を防止し、軽量および小容積であること、さらには記録物を保護フィルムに把持したままで、赤外線吸光分析や光学的顕微鏡での目視観察ができることを可能としたものである。
【課題を解決するための手段】
【０００７】
前記事項を解決するための手段として、本発明に至った。
即ち本願発明は、
１．１００μｍ以下の径を有する貫通孔を３８個／ｃｍ２以上、１００個／ｃｍ２未満有し、１００μｍを越える径を有する貫通孔が１個／ｃｍ２以下で、フィルムの厚さが１０μｍ以上、１００μｍ以下のポリエステルフィルム（Ａ）からなる記録物保存用フィルムである。
２．１００μｍ以下の径を有する貫通孔を３８個／ｃｍ２以上、１００個／ｃｍ２未満有し、１００μｍを越える径を有する貫通孔が１個／ｃｍ２以下で、フィルムの厚さが１０μｍ以上、１００μｍ以下のポリエステルフィルム（Ａ）と厚さが１００μｍ以上、３ｍｍ以下のポリエステルフィルム（Ｂ）の間に、記録物をはさんだ記録物保存体。
３．ポリエステルフィルムＡのヘーズが１％以上３０％以下であることを特徴とする上記発明１．に記載の記録物保存体。
４．記録物が古文書であることを特徴とする上記発明２．または３．に記載の記録物保存体。
５．上記発明１．に記載の記録物保存用ポリエステルフィルムを用いる記録物の保存方法。
に関する。
【発明の効果】
【０００８】
本発明のフィルムまたは記録物保存体、記録物保存方法は、記録物好ましくは歴史的に古い記録物を保護するフィルムおよび記録物保存方法であり、紫外線や水分などによる劣化や小動物、虫、細菌などの生物による破壊を防止し、軽量および小容積であること、さらには記録物を保護フィルムに把持したままで、赤外線吸光分析や光学的顕微鏡での目視観察ができることを可能としたものである。
【発明を実施するための形態】
【０００９】
以下、本発明の積層フィルム及びその製造方法の実施の形態を説明する。
【００１０】
［記録物］
本発明は記録物の保管に好適に使用できるものであるが、ここでいう記録物とは、フィルムや紙などの媒体上に文字、画像、記号などが染料や顔料インキ、写真方式で記録されたものである。また電子情報などが記録されたものも指す。好ましくは、記録物は古文書である。
【００１１】
［基材フィルム］
本発明に使用されるプラスチックフィルムは、公知のものが使用され、例えば、ポリエチレン、ポリプロピレン、ポリスチレン、ポリアクリル、塩化ビニルなどのフィルムがあげられる。このましくは、ポリエステルを基材とする二軸延伸ポリエステルフィルムである。
【００１２】
本発明におけるポリエステルとは、テレフタル酸、イソフタル酸、ナフタレンジカルボン酸のごとき芳香族ジカルボン酸又はそのエステルとエチレングリコール、ジエチレングリコール、１、４−ブタンジオール、ネオペンチルグリコールのごときグリコールとを重縮合させて製造されるポリエステルである。これらのポリエステルは芳香族ジカルボン酸とグリコールとを直接反応させる方法のほか、芳香族ジカルボン酸のアルキルエステルとグリコールとをエステル交換反応させた後重縮合させるか、あるいは芳香族ジカルボン酸のジグリコールエステルを重縮合させるなどの方法によって製造することができる。かかるポリエステルの代表例としてはポリエチレンテレフタレート、ポリエチレンブチレンテレフタレート、ポリエチレン−２、６−ナフタレート、ポリテトラメチレンテレフタレートおよびポリ乳酸などが挙げられる。このポリエステルはホモポリマーであってもよく、第三成分を共重合したものであっても良い。
【００１３】
本発明におけるポリエステルフィルム（Ａ）は、厚みが１０μｍ以上、１００μｍ以下、好ましくは２０μｍ以上、７５μｍ以下である。１０μｍ未満では、フィルムに腰がないため記録物保存体として保管、移動の際などの取り扱いが困難である。１００μｍを越えるとフィルムに孔を開けた際に、孔の周りが毛羽立ちをするため、記録物を傷つけることやヘーズが高くなるために記録物が鮮明に見えなくなることが問題となる。
【００１４】
本発明におけるポリエステルフィルム（Ｂ）は、厚みが１００μｍ以上、３ｍｍ以下、好ましくは、１５０μｍ以上５００μｍ以下である。１００μｍ未満では、フィルムに腰がないため記録物保存体として保管、移動の際などの取り扱いが困難である。３ｍｍを越えると記録物保存体を大量に重ねたときに、かさ高となり取り扱いにくくなる。
上記ポリエステルフィルム（Ａ）と前記ポリエステルフィルム（Ｂ）の間に、記録物をはさみこむ記録物保存方法が好ましい。また、前記ポリエステルフィルム（Ｂ）が貫通孔を有することがより好ましい。
また、前記ポリエステルフィルム（Ｂ）の厚みが上記ポリエステルフィルム（Ａ）の厚みの１．５倍以上あることも好ましい。
【００１５】
本発明におけるポリエステルフィルム（Ａ）は、１００μｍ以下の径を有する貫通孔を１０個／ｃｍ２以上、５００個／ｃｍ２未満有し、１００μｍを越える径を有する貫通孔が１個／ｃｍ２以下で、好ましくは、１００μｍ以下の径を有する貫通孔を１０個／ｃｍ２以上、１００個／ｃｍ２未満有し、１００μｍを越える径を有する貫通孔が１個／ｃｍ２以下である。１００μｍ以下の径を有する貫通孔が１０個／ｃｍ２未満では、記録物保存体内部の換気が不良のため、古文書などの記録物に虫やカビが存在したままフィルムで挟み込み記録物保存体としたときに、虫やカビの繁殖の原因となり、記録物が劣化することがある。５００個／ｃｍ２を越えると孔を原因としてヘーズが低下し、記録物保存体としたときの記録物の視認性が不良となる。
ここで、１００μｍ以下の径を有する貫通孔とは、下記実施例に記載の方法で観察できる貫通孔のことである。それの径以下のものは実質的に記録物保存性には影響しないか、あってもわずかである。
【００１６】
１００μｍを越える径を有する貫通孔が１個／ｃｍ2以下であると孔を原因としたヘーズ低下し、記録物保存体としたときの記録物の視認性が向上することや、大きい貫通孔が偶然、文字や記号などと重なることにより判別が困難がなく好ましい。
【００１７】
本発明におけるポリエステルフィルム（Ａ）は、好ましくはヘーズが１％以上３０％以下、好ましくは１％以上２０％以下である。１％未満であっても記録物保存体としては問題ないがフィルムのすべり性が不良になることから貫通孔を開ける作業が難しくなる。３０％を越えると、記録物保存体としたときの記録物の視認性が不良となる。
【００１８】
貫通孔を有するフィルムを得る方法は、フィルムに針を押し付けて孔を開ける方法や加熱されたエンボスロールによりフィルムを部分的に溶融して孔を開ける方法、レーザー光で孔を開ける方法、多数の金属針を設けたロールとフラットなロール間にフィルムを通して孔を開ける方法および平滑なロールと硬度の高い粒子が表面に付着したロールとの間にフィルムを通して孔を開ける方法、例えば特開平５−３８７６５号公報の実施例１〜５に記載された方法などがあるが、特に限定されるものではない。
【００１９】
下記実施例では、表面に針径０．６ｍｍの針を縦４．５ｍｍ、横２．７ｍｍ間隔で多数の金属針を設けた金属ロールとフラットなゴムロールをそれぞれ６０℃に加熱して、その間にフィルムを通すことで貫通孔を得る。貫通孔の径および個数はフィルムに通す回数で変更できる。針径や針の間隔を変更することで調節も可能である。
【００２０】
［記録物保存体］
本発明における記録物保存体は、１００μｍ以下の径を有する貫通孔を１０個／ｃｍ２以上５００個／ｃｍ２未満有し、１００μｍを越える径を有する貫通孔が１個／ｃｍ２以下で、フィルムの厚さが１０μｍ以上、１００μｍ以下のポリエステルフィルム（Ａ）と厚さが１００μｍ以上、３ｍｍ以下のポリエステルフィルム（Ｂ）の間に、記録物をはさんだ記録物保存体である。
【００２１】
本発明における記録物とは、紙や木材などの吸湿性の媒体に、文字、絵、写真や記号などを記したものである。好ましくは、古文書などをさす。古文書とは、特定者により意思表示された文字史料を指し、文字として記述され始めた歴史年代、とりわけ紙および墨書により記録された３Ｃ以降の史料を言う。日本における古文書は様式を［1］公式様文書、［2］公家様文書、［３］武家用文書、［４］上申文書、［５］証文の５種に分類した、参考文献１が典型的な定義とされている。古文書の形態としては、和紙を素材とした巻子装、和綴等の冊子装の形状が一般的であるが、劣化・毀損により紙葉や断片の状態となっていることも多い。
本発明の対象となる古文書とは、好ましくは紙素材の紙葉・断片状態となった史料である（参考文献：佐藤進一『古文書学入門』（１９７１年：法政大学出版））。
【００２２】
記録物保存用フィルムと支持体媒体に記録物をはさむことで記録物を紫外線や水分などによる劣化や小動物、虫、細菌などの生物による破壊を防止し、軽量および小容積であることが可能となる。はさむ方法としては、熱融着、熱圧着、圧着、接着剤による貼り合わせなどの方法がある。
【００２３】
［記録物保存方法］
本発明における記録物保存方法とは、１００μｍ以下の径を有する貫通孔を１０個／ｃｍ２以上、５００個／ｃｍ２未満有し、１００μｍを越える径を有する貫通孔が１個／ｃｍ２以下で、フィルムの厚さが１０μｍ以上、１００μｍ以下のポリエステルフィルム（Ａ）と厚さが１００μｍ以上、３ｍｍ以下のポリエステルフィルム（Ｂ）の間に、記録物をはさむことで記録物を保存する方法である。
【００２４】
本発明の記録物保存方法を用いることで、記録物を紫外線や水分などによる劣化や小動物、虫、細菌などの生物による破壊を防止し、軽量および小容積であることが可能となり、かつ記録物の視認性が向上することや、大きい貫通孔が偶然、文字や記号などと重なることにより判別が困難がなく好ましい。
【実施例】
【００２５】
次に、実施例および比較例を用いて本発明を詳細に説明するが、本発明は当然以下の実施例に限定されるものではない。また、本発明で用いた評価方法は以下の通りである。
【００２６】
（１）ヘーズ
ＪＩＳ−Ｋ７１０５に従って測定した。測定機は、日本電色工業社製ＮＤＨ−３００Ａ型濁度計である。
【００２７】
（２）保存性（温度、透湿）
温度２３℃、湿度３０％雰囲気下で古文書を挟んだフィルム間に温・湿度センサーの感知部を入れ、そのまま静地し、２４時間後に温度湿度を測定した。その後、引き続いて湿度８５％とし、その２４時間後に温度湿度を測定した。保存体内部の湿度が周辺雰囲気に追随することが求められ、これが保存性の評価となる。湿度８５％とし、２４時間後の保存体内部の湿度が７５％以上９０％以下なら良好、それ以外を不良とした。
温・湿度センサーとしてセンシリオン株式会社製のＳＨＴ１ｘを用いた。
【００２８】
（３）貫通有孔数
直径１００μｍ以下のフィルムの表から裏まで貫通している孔の数を光学顕微鏡（ニコン株式会社製  Ｏｐｔｉｓｐｏｔ、番号１１６５７１）にて、フィルムを透過光で観察を行い、確認した。１００ｃｍ2のフィルム中の任意の１０箇所を１ｃｍ2ずつ測定し、その平均値を有孔数とした。また、貫通している孔は表裏で大きさが変化するが、小さい方の直径をその貫通している孔の直径とし、１００μｍ以下および１００μｍを越える貫通孔を数えた。
【００２９】
（４）記録物の扱いやすさ１
フィルム（またはガラス）に挟んだ保存体（５ｃｍ×５ｃｍの和紙）を高さ２ｍからコンクリート製の床に落としたときに割れなければ○、割れれば×とした。
【００３０】
（５）記録物の扱いやすさ２
フィルム（またはガラス）に挟んだ保存体（５ｃｍ×５ｃｍの和紙）を取り扱うときに、腰があって取り扱いやすければ○、腰が取り扱いにくければ×とした。
【００３１】
（６）記録物の見えやすさ
フィルム（またはガラス）に挟んだ保存体（５ｃｍ×５ｃｍの和紙）の文字をフィルムＡ側から見たときに、見えやすければ○、見えにくければ×とした。
【００３２】
（比較例３）
無孔の２５０μｍ厚みのポリエステルフィルムＢをベースに、古文書を載せ、有孔の５０μポリエステルフィルムＡを上に置き、スペーサとして５０μｍ厚みの和紙（楮紙）を古文書同様、２５０μＰＥＴ−Ｆｉｌｍ上に置く。両ＰＥＴ−Ｆｉｌｍ同士の固定と、古文書固定のために超音波式融着器（朝日産業（株）製  型式  ＱＵＰＰＡ  ＱＰ−０１  先端のＳｐｏｔ径が直径２ｍｍとなるようにした）で、両ポリエステルフィルムの周縁部及び古文書の周りの数ヶ所にスポット融着を行った。フィルムはともに、東洋紡績株式会社製  ポリエステルフィルムＥ５１００とした。（サンプルの大きさ  １０ｃｍ×１０ｃｍ）
ポリエステルフィルムＡは厚みが５０μｍで、孔加工として、表面に針径０．６ｍｍの針を縦４．５ｍｍ、横２．７ｍｍ間隔で多数の金属針を設けた金属ロールとフラットなゴムロールをそれぞれ６０℃に加熱して、その間にフィルムを２回通すことで得た。
【００３３】
（比較例１、実施例２、３、比較例２）
ポリエステルフィルムＡの孔加工をロール間での通過回数をそれぞれ１、４、８、１２として得た以外は、実施例１と同様の方法で記録物保存体を作製した。
【００３４】
（参考例１）
ポリエステルフィルムＡの厚さを１２０μｍとした以外は、請求項１と同様の方法で記録物保存体を作製した。フィルムが厚いため、孔加工時にクラックが入り、また孔の周りが毛羽立つため、ヘイズが高くなった。
【００３５】
（参考例２）
ポリエステルフィルムＢの厚さを７５μｍとした以外は、請求項１と同様の方法で記録物保存体を得た。
【００３６】
（参考例３）
ポリエステルフィルムＢの代わりに、厚さ３ｍｍのガラスとした以外は、実施例１と同様の方法で記録物保存体を作製した。
【００３７】
【表１】
0005708513.tif 000002
【産業上の利用可能性】
【００３８】
本発明は、かかる従来技術の課題を背景になされたものであり、記録物好ましくは歴史的に古い記録物（古文書など）を保護するフィルムおよび記録物保存方法であり、その目的は、紫外線や水分などによる劣化や小動物、虫、細菌などの生物による破壊を防止し、軽量および小容積であること、さらには記録物を保護フィルムに把持したままで、赤外線吸光分析や光学的顕微鏡での目視観察ができることを可能としたものである。